(57)【要約】【課題】システム利用者が身体を計測して得られる生体情報を計測機器から携帯電話などの携帯端末へ取得し、取得された生体情報がシステム利用者自身の情報であるかどうか確認できる個人健康管理システムを提供すること。また、システム利用者の生体情報をインターネット経由で健康管理サーバに送信する前にシステム利用者に送信してよいか同意を得ることができる個人健康管理システムを提供すること。【解決手段】本発明に係る個人健康管理システムは、計測機器とシステム利用者の携帯端末を有線もしくは無線によって接続し、計測機器に蓄積された生体情報をシステム利用者の携帯端末に取得する。生体情報が取得されると、システム利用者の携帯端末に生体情報の確認同意画面、および送信同意画面を表示し、同意を得ることにより取得した生体情報を全て健康管理サーバに送信する。【選択図】      図１
2007188363.tif 000002
【特許請求の範囲】
【請求項１】
携帯電話など携帯端末を用いてシステム利用者個人の少なくとも１項目以上の健康データをインターネット経由でサーバに蓄積し、該蓄積された健康データを加工して健康管理情報としてシステム利用者の携帯電話など携帯端末の表示画面に提示するシステムであって、該健康データを計測装置から直接携帯電話など携帯端末に取り込むことを特徴とする個人健康管理システム。
【請求項２】
前記健康データを計測装置から携帯電話など携帯端末に直接取り込む手段はケーブルを介した有線通信であることを特徴とする請求項１に記載の個人健康管理システム。
【請求項３】
前記健康データを計測装置から携帯電話など携帯端末に直接取り込む手段は赤外線、電波など用いた無線通信であることを特徴とする請求項１に記載の個人健康管理システム。
【請求項４】
前記計測装置から携帯電話など携帯端末に直接取り込まれた健康データを、システム利用者が携帯電話など携帯端末上で正しいデータであることを確認し、かつ送信することに同意した後インターネット経由でサーバに送信することを特徴とする請求項１から請求項３に記載の個人健康管理システム。
【請求項５】
前記システム利用者が携帯電話など携帯端末上で正しいデータであることを確認する手段は、健康データ、日付、同意ボタン、不同意ボタンが配置された確認同意画面であることを特徴とする請求項１から請求項４に記載の個人健康管理システム。
【請求項６】
前記システム利用者が携帯電話など携帯端末上でデータを送信することに同意する手段は、健康データ、日付、同意ボタン、不同意ボタンが配置された送信同意画面であることを特徴とする請求項１から請求項５に記載の個人健康管理システム。
【発明の詳細な説明】
【技術分野】
【０００１】
本発明は、システム利用者の健康データをインターネット経由でサーバに蓄積し、該蓄積された健康データを加工して健康管理情報としてシステム利用者に提示する個人健康管理システムシステムに関する。
【背景技術】
【０００２】
従来までの健康管理は健康診断や人間ドックで得られる健康情報に基づいて行われている。しかし、これらの健康情報は健康診断や人間ドックを行った時点のみの情報であるため、この情報のみで健康管理を行うことには限界がある。そこで、日常の生活環境における健康情報を蓄積し、病気の一次予防や健康増進に役立てることを目的としたシステムが考案されている。
【０００３】
例えば、特許文献１には利用者に装着された測定装置によって測定される日常の健康情報を、健康管理情報センタで管理し、要求された健康情報を利用者に提供して利用者の健康管理を支援する健康情報管理方法が提案されている。
【０００４】
【特許文献１】特開２００２−２４５１７７号公報（請求項１、図１）
【０００５】
しかし、特許文献１の発明には健康情報を管理するためのシステムの構成や機能について述べられているが、システム利用者が身体を計測して得られる生体情報を計測機器より携帯電話などの携帯端末に取得する方法、およびシステム利用者が自身の生体情報を確認し同意する方法、および生体情報を送信する際に同意する方法については述べられていない。
【発明の開示】
【発明が解決しようとする課題】
【０００６】
従って本発明の課題は、システム利用者が身体を計測して得られる生体情報を計測機器から携帯電話などの携帯端末へ取得し、取得された生体情報がシステム利用者自身の生体情報であることを確認できる手段を有する個人健康管理システムを提供することである。
【０００７】
また、システム利用者の生体情報をインターネット経由で健康管理サーバに送信する前にシステム利用者に送信してよいか同意を得る手段を有する個人健康管理システムを提供する。
【課題を解決するための手段】
【０００８】
前記の課題を解決するためになされた本発明に係る個人健康管理システムは、生体情報を計測するための計測機器とシステム利用者の携帯電話などの携帯端末を有線もしくは無線によって接続し、システム利用者の携帯電話などの携帯端末から計測機器へデータ送信をするための信号を送ることにより、計測機器に蓄積された生体情報をシステム利用者の携帯電話などの携帯端末に取得することを特徴としている。
【０００９】
また、取得された生体情報がシステム利用者自身のものであるか確認するために、生体情報の確認同意画面を表示し、確認同意ボタンをクリックすることでシステム利用者の生体情報であることに同意をしたとみなすことを特徴としている。
【００１０】
さらに、システム利用者の携帯電話などの携帯端末からインターネット経由で健康管理サーバに生体情報を送信する前に、送信確認画面を表示し、送信同意ボタンをクリックすることで健康管理サーバに生体情報を全て送信することに同意したとみなすことを特徴としている。
【発明の効果】
【００１１】
本発明の個人健康管理システムを使用することにより、これまで携帯電話などの携帯端末に手動で生体情報を入力していたものを自動的に取得することが可能となり、システム利用者の利便性が向上する。また、取得した生体情報がシステム利用者のものであるか確認できること、生体情報をインターネット経由で健康管理サーバに送信するときに送信の同意を得ることにより、誤った生体情報を取得、送信するのを防ぐことが可能である。
【発明を実施するための最良の形態】
【００１２】
図１は本発明に係る個人健康管理システムにおいて生体情報を自動取得し、確認同意および送信同意を得るための処理の流れを示す図である。システム利用者が身体を計測して得られる生体情報は計測機器に蓄積される。蓄積された生体情報をシステム利用者の携帯電話などの携帯端末に取得するため、計測機器と携帯端末を有線もしくは無線よって接続し、携帯端末から計測機器へデータ送信をするための信号を送信することにより、携帯端末に生体情報を取得する。その際、測定日時も同時に取得する。
【００１３】
図２はシステム利用者の携帯電話などの携帯端末に取得された生体情報を健康管理サーバに送信するまでのフローチャートを示す図である。携帯端末に生体情報が取得されると、その生体情報がシステム利用者自身の生体情報であるかどうか確認するために、生体情報の確認同意画面を表示する（図３参照）。画面表示されている生体情報を確認し、システム利用者自身の生体情報であることに同意が得られなければ、この段階で取得された生体情報を消去し、システムを終了する。
【００１４】
確認同意画面で同意が得られると、取得した生体情報を健康管理サーバへ送信する前に送信同意画面を表示する（図４参照）。生体情報を健康管理サーバへ送信することに同意が得られなければ、取得された生体情報を消去し、システムを終了する。送信同意画面で同意が得られれば、取得した全ての生体情報を健康管理サーバにインターネット経由で送信する。
【００１５】
送信された全ての生体情報は自動的にデータベースに値が格納される。データベースに格納された生体情報はいつでもシステム利用者がインターネット経由で携帯電話など携帯端末により参照することができる。
【実施例】
【００１６】
以下、本発明の実施例を示す。本実施例におけるシステム利用者は計測機器として体重計を用い、体重を生体情報として１週間分の体重データを蓄積する。体重計から体重データをシステム利用者の携帯電話などの携帯端末に有線で取り込むためには、RS232Cケーブルを用いて体重計と携帯端末とを接続する。そして、携帯端末から体重計にシリアル信号を送信することにより、RS232Cケーブルを経由して体重計に蓄積された１週間分の体重データが携帯端末に転送される。また、同時に体重を測定した日時についても転送される。
【００１７】
体重計から体重データをシステム利用者の携帯端末に無線で取り込む場合には、体重計に赤外線送受信器を取り付け、携帯端末から赤外線信号を体重計に送信することにより、体重計に蓄積された1週間分の体重データが携帯端末に送信される。なお、同時に体重を測定した日時についても転送される。
【００１８】
システム利用者の携帯電話などの携帯端末に体重のデータが取得されると、携帯端末に取得された全ての体重の値、および日時が表示される。その際、表示された体重の値と日時がシステム利用者自身のものであるかどうか確認するために、確認同意画面が表示される。確認同意画面には同意ボタン、および不同意ボタンの２つのボタンが配置されている。システム利用者は同意ボタンをクリックし、その表示された全ての体重の値、および日時がシステム利用者自身のものであることに同意する。もし、不同意ボタンをクリックした場合は、その表示された全ての体重の値、および日時がシステム利用者自身のものではないこととなるため、取得された体重の値、および日時は携帯端末から全て消去され、システムを終了する。
【００１９】
システム利用者が体重の値、および日時を同意すると、取得した体重の値、および日時を健康管理サーバへ送信するために、携帯端末に送信同意画面が表示される。送信同意画面には送信同意ボタン、および不同意ボタンの２つのボタンが配置されている。システム利用者が送信同意ボタンをクリックすると、全ての体重の値、および日時が健康管理サーバへ送信される。もし、不同意ボタンをクリックした場合は、全ての体重の値、および日時を健康管理サーバに送信することはできないため、取得された体重の値、および日時は携帯端末から全て消去され、システムを終了する。
【００２０】
送信された体重の値、および日時は健康管理サーバ内の生体情報データベースに格納された。システム利用者は自身の携帯電話などの携帯端末からインターネット経由で全ての体重の値、および日時を確認することができる。
【００２１】
これにより、システム利用者個人が日常の体重管理を行う上で有用な健康管理情報となる。これを基にしてシステム利用者が目標を持って生活習慣を改善することができる。また、その後継続的に体重計測を行い、健康管理サーバに体重の値および日時を送信することにより、健康増進実施の効果も確認できる。
【図面の簡単な説明】
【００２２】
【図１】本発明の個人健康管理システムの概念を示す図である。
【図２】本発明の個人健康管理システムにおける生体情報の取得からサーバへ送信するまでのフローチャートを示す図である。
【図３】本発明の個人健康管理システムにおける生体情報の確認同意画面表示を示す図である。
【図４】本発明の個人健康管理システムにおける健康管理サーバへの送信同意画面表示を示す図である。
【符号の説明】
【００２３】
１      生体情報計測機器
２      利用者端末装置
３      健康管理サーバ
４      生体情報データベース
【図１】
2007188363.tif 000003
【図２】
2007188363.tif 000004
【図３】
2007188363.tif 000005
【図４】
2007188363.tif 000006